(57)【要約】【課題】  単発型の閃光発音体を任意に連結することを可能とする。【解決手段】  中央に貫通孔１２を設けると共に外周にねじ部１３を設け、貫通孔１２の始点１２ａに雷管１４を圧入すると共に貫通孔１２内に雷管１４の発火により燃焼する延期薬１６を装填し、かつ貫通孔１２の終点１２ｂを防湿テープ１８で閉塞してなる点火部１０と、延期薬１６によって燃焼させられる発音薬２４を収納する筒体１９と、発音薬２４の燃焼時に発生する閃光および爆発音を外部に誘導する複数の穴２８を設けると共に内周にねじ部２６，２７を設け、筒体１９を囲繞するように点火部１０に螺着される発音筒２５と、外周にねじ部３０を設け、発音筒２５に螺着され、筒体１９を点火部１０と共に挟持する栓部２９とで構成されている。【選択図】    図１
2008051472.tif 000002
【特許請求の範囲】
【請求項１】
中央に貫通孔を設けると共に外周にねじ部を設け、前記貫通孔の始点に雷管を圧入すると共に該貫通孔内に前記雷管の発火により燃焼する延期薬を装填し、かつ該貫通孔の終点を防湿テープで閉塞してなる点火部と、
前記延期薬によって燃焼させられる発音薬を収納する筒体と、
前記発音薬の燃焼時に発生する閃光および爆発音を外部に誘導する複数の穴を設けると共に内周にねじ部を設け、前記筒体を囲繞するように前記点火部に螺着される発音筒と、
外周にねじ部を設け、前記発音筒に螺着され、前記筒体を前記点火部と共に挟持する栓部と
で構成されていることを特徴とする閃光発音体。
【請求項２】
請求項１記載の閃光発音体において、
前記点火部は、
中央に貫通孔を設けると共に外周にねじ部を設けた円柱状体と、
前記貫通孔の始点に設けられる雷管と、
前記貫通孔内に装填される延期薬と、
前記貫通孔の終点側を前記円柱状体から突出して前記貫通孔の終点を延長する通路と、
前記通路の開口端を封鎖する防湿テープと
を備え、
前記筒体は、
前記通路を差し込む開口部を設け、
前記発音筒は、
前記円柱状体のねじ部と螺合する第一のねじ部と前記栓部のねじ部と螺合する第二のねじ部とを設けると共に前記発音薬の燃焼時に発生する閃光および爆発音を外部に誘導する複数の穴を設けた筒体で構成されている
ことを特徴とする閃光発音体。
【請求項３】
請求項１記載の閃光発音体と、
前記栓部を取り除いた複数の請求項１記載の閃光発音体と
を有し、
前記栓部を取り除いた複数の請求項１記載の閃光発音体は、各前記点火部に各前記発音筒を螺着して連結体とされ、
前記連結体は、請求項１記載の閃光発音体の点火部に、前記発音筒を螺着して連結されてなる
ことを特徴とする閃光発音体。
【請求項４】
請求項１ないし請求項３の何れか１項記載の閃光発音体と、
前記閃光発音体の点火部に螺着され、前記雷管を発火させる起動部と
で構成されていることを特徴とする閃光発音体。
【請求項５】
請求項４記載の閃光発音体において、
前記起動部は、バネを圧縮状態で保持する安全装置と、前記バネの戻り力によって前記雷管に激突される撃針と
で構成されていることを特徴とする閃光発音体。
【請求項６】
中央に貫通孔を設けると共に外周にねじ部を設け、前記貫通孔の始点に雷管を圧入すると共に該貫通孔内に前記雷管の発火により燃焼する延期薬を装填し、かつ該貫通孔の終点を防湿テープで閉塞してなる点火部と、
前記延期薬によって燃焼させられる煙薬を収納する筒体と、
前記煙薬の燃焼時に発生する煙を外部に誘導する複数の穴を設けると共に内周にねじ部を設け、前記筒体を囲繞するように前記点火部に螺着される筒状体と、
外周にねじ部を設け、前記筒状体に螺着され、前記筒体を前記点火部と共に挟持する栓部と
で構成されていることを特徴とする煙発生体。                                                                                
【発明の詳細な説明】
【技術分野】
【０００１】
本発明は、暴徒の鎮圧、犯罪行為あるいはテロ行為等に使用される閃光発音体および煙発生体に関するものである。
【背景技術】
【０００２】
従来、閃光発音体は、暴徒の鎮圧、テロ行為、犯罪行為、不審船の警告等の際に、爆発音と閃光を発して、これらの行為を制圧または警告するために用いられている。例えば、室内に人質等を拘束して立て籠もっている暴徒の制圧に閃光発音体を用いる場合は、閃光発音体を室内に投げ込んだ後、瞬時の時間遅れで室内で爆発させ、その爆発により発生する強烈な爆発音と閃光とで暴徒が一時的に感覚を麻痺している間に暴徒を制圧すると同時に、人質を解放する。
【０００３】
この閃光発音体は、発火方式として、単発型と連続発火方式とがある。
単発型の閃光発音体では、撃針部、雷管、延期薬からなる信管組立品を用いている（例えば、特許文献１参照）。
連続発火方式の閃光発音体は、第１段の雷管を撃針で発火させ、延期薬、爆発薬と順に着火し、第１段の爆発薬の燃焼により第２段の延期薬または伝火薬に着火して第２段の爆発薬を燃焼させるものが知られている（例えば、特許文献２，３、非特許文献１参照）。
【０００４】
また、一弾体内に複数の爆発薬室を設け、延期薬の燃焼に従い、順に爆発薬に着火させるものが知られている(例えば、特許文献４参照)。
【特許文献１】特開２００２−１０７０９７号公報
【特許文献２】米国特許第５，９８３，８０１号明細書
【特許文献３】実開昭５４−１３６９７６号公報
【特許文献４】ＷＯ９４／０８２００
【非特許文献１】INFANTRY AMMUNITON(YUGOIMPORT-SDRP社カタログ）
【発明の開示】
【発明が解決しようとする課題】
【０００５】
しかしながら、単発型の閃光発音体では、撃針部、雷管および延期薬とからなる信管組立品を閃光発音体本体に組み付ける必要があるため、閃光発音体本体を独立した製品として取り扱うことができなかった。また、信管組立品を構成する撃針部が閃光発音体の上から突出して閃光発音体を軸長方向に長いものにするという不具合があった。さらに、単発型の閃光発音体では、信管組立品を閃光発音体本体に組み付けないと、閃光発音体を発火させることができないため、単発型の閃光発音体を連結して連続発火方式の閃光発音体とすることはできなかった。
【０００６】
一方、連結式のものは、連結により段数を変更することが可能であるが、信管を装着する第１段に、信管を装着しない第２段以降を連結する構造となっているため、第２段以降の閃光発音体は、信管を装着する第１段に連結しなければ、発火することができないという課題があった。
また、一弾体内に複数の爆発薬室を設ける方式では、製造上構造が複雑であり、爆発室内が弾体の中心に存在しないために閃光、発音の発現に方向性がでてくるという課題があった。
【０００７】
本発明は斯かる従来の問題点を解決するために為されたもので、その目的は、単発型の閃光発音体を任意に連結することを可能とした閃光発音体および煙発生体を提供することにある。
【課題を解決するための手段】
【０００８】
請求項１に係る発明は、中央に貫通孔を設けると共に外周にねじ部を設け、前記貫通孔の始点に雷管を圧入すると共に該貫通孔内に前記雷管の発火により燃焼する延期薬を装填し、かつ該貫通孔の終点を防湿テープで閉塞してなる点火部と、前記延期薬によって燃焼させられる発音薬を収納する筒体と、前記発音薬の燃焼時に発生する閃光および爆発音を外部に誘導する複数の穴を設けると共に内周にねじ部を設け、前記筒体を囲繞するように前記点火部に螺着される発音筒と、外周にねじ部を設け、前記発音筒に螺着され、前記筒体を前記点火部と共に挟持する栓部とで構成されていることを特徴とする。
【０００９】
請求項２に係る発明は、請求項１記載の閃光発音体において、前記点火部は、中央に貫通孔を設けると共に外周にねじ部を設けた円柱状体と、前記貫通孔の始点に設けられる雷管と、前記貫通孔内に装填される延期薬と、前記貫通孔の終点側を前記円柱状体から突出して前記貫通孔の終点を延長する通路と、前記通路の開口端を封鎖する防湿テープとを備え、前記筒体は、前記通路を差し込む開口部を設け、前記発音筒は、前記円柱状体のねじ部と螺合する第一のねじ部と前記栓部のねじ部と螺合する第二のねじ部とを設けると共に前記発音薬の燃焼時に発生する閃光および爆発音を外部に誘導する複数の穴を設けた筒体で構成されていることを特徴とする。
【００１０】
請求項３に係る発明は、請求項１記載の閃光発音体と、前記栓部を取り除いた複数の請求項１記載の閃光発音体とを有し、前記栓部を取り除いた複数の請求項１記載の閃光発音体は、各前記点火部に各前記発音筒を螺着して連結体とされ、前記連結体は、請求項１記載の閃光発音体の点火部に、前記発音筒を螺着して連結されてなることを特徴とする。
請求項４に係る発明は、請求項１ないし請求項３の何れか１項記載の閃光発音体と、前記閃光発音体の点火部に螺着され、前記雷管を発火させる起動部とで構成されていることを特徴とする。
【００１１】
請求項５に係る発明は、請求項４記載の閃光発音体において、前記起動部は、バネを圧縮状態で保持する安全装置と、前記バネの戻り力によって前記雷管に激突される撃針とで構成されていることを特徴とする。
請求項６に係る発明は、中央に貫通孔を設けると共に外周にねじ部を設け、前記貫通孔の始点に雷管を圧入すると共に該貫通孔内に前記雷管の発火により燃焼する延期薬を装填し、かつ該貫通孔の終点を防湿テープで閉塞してなる点火部と、前記延期薬によって燃焼させられる煙薬を収納する筒体と、前記煙薬の燃焼時に発生する煙を外部に誘導する複数の穴を設けると共に内周にねじ部を設け、前記筒体を囲繞するように前記点火部に螺着される筒状体と、外周にねじ部を設け、前記筒状体に螺着され、前記筒体を前記点火部と共に挟持する栓部とで構成されていることを特徴とする。
【発明の効果】
【００１２】
本発明によれば、雷管を点火部に設けたため、閃光発音体と起動部とに分離することが可能となる。そのため、軸長方向の長さが短くなり、小型化することが可能となる。
また、雷管を点火部に設けたため、栓部を取り外した複数の閃光発音体の発音筒をそれぞれの点火部に螺着してこれらを連結することが可能となる。連結された閃光発音体は、それぞれが雷管を備えているので、例えば、２つの閃光発音体を連結した場合、１段目の閃光発音体の雷管が発火（作動）し、雷管と隣接する延期薬に着火し、この延期薬の一定延期秒時後に、発音薬に着火し、発音薬が燃焼し、この発音薬の燃焼で急激に圧力が発生し、発音薬を収納する筒体を破断し、発音筒から強烈な音（爆発音）・光（閃光）が放出され、２段目の閃光発音体が発音薬燃焼による衝撃（または熱）で雷管が発火（作動）し、１段目の閃光発音体と同様に、延期薬、発音薬と燃焼し、１段目の閃光発音体の発音後、一定延期秒事後、２段目の閃光発音体の発音薬が燃焼して連続して強烈な音（爆発音）・光（閃光）を放出することができる。
【発明を実施するための最良の形態】
【００１３】
以下、本発明の実施形態を図面に基づいて説明する。
（第一実施形態）
図１ないし図３は、本発明の第一実施形態に係る閃光発音体１および起動部４０を備えた閃光発音体２を示す（請求項１に対応する）。
本実施形態に係る閃光発音体１は、撃針によって発火する雷管１４と延期薬１６と防湿テープ１８とを有する点火部１０と、発音薬２４を収納する筒体１９と、筒体１９を囲繞するように点火部１０に螺着され、発音薬２４の燃焼に伴い発生する音と光を放出する金属製の発音筒２５と、発音筒２５に螺着され、筒体１９を点火部１０と共に挟持する金属製の栓部２９とで構成されている。
【００１４】
点火部１０は、中央に貫通孔１２を設けると共に外周にねじ部１３を設けた金属製の円柱状体１１と、貫通孔１２の始点１２ａにアルミニウム製の雷管ホルダ１５を介して圧入される雷管１４と、貫通孔１２内に圧填される延期薬１６と、貫通孔１２の終点１２ｂ側を円柱状体１１から突出して貫通孔１２の終点１２ｂを延長する通路１７と、通路１７の開口端１７ａを封鎖し延期薬１６を気密状態に保持する防湿テープ１８とで構成されている。
【００１５】
貫通孔１２は、始点１２ａから終点１２ｂに向かって内径が小さくなるように３つの段部１２ｃ，１２ｇ，１２ｈが形成されている。始点１２ａを形成する開口側の段部１２ｃは、雷管ホルダ１５の外径と肉厚と等しくなるように形成されている。段部１２ｃに連なる貫通孔１２には、雷管１４からの発火を延期薬１６に確実に伝火するための同一内径の空間１２ｄとこの空間１２ｄからコーン状に縮径する空間１２ｅとが形成されている。空間１２ｅの終端を形成する段部１２ｆに連なる貫通孔１２には、延期薬１６を圧填するための空間１２ｇが形成されている。空間１２ｇの終端を形成する段部１２ｈに連なる貫通孔１２は、終点１２ｂまで同一内径としてある。
【００１６】
雷管１４は、点火薬として硝酸バリウムと、三硫化アンチモンと、トリシネートと、アルミニウムと、テトラセン等との組成物が用いられる。
延期薬１６としては、クロム酸バリウムと、過塩素酸カリウムと、ジルコニウムと、ニッケル等との組成物がある。
延期薬１６によって燃焼させられる発音薬２４を収納する筒体１９は、ボール紙等の材質からなる筒２０と、この筒２０の上下端に貼り付けられるボール紙等の材質からなる穴あき円盤２１とで構成されている。穴あき円盤２１の穴２２は、円盤２１の中心に設けられ、貫通孔１２の通路１７を差し込むことができる大きさにしてある。そして、メンディングテープ２３によって封鎖されている。発音薬２４を筒体１９内に装填する際は、一方の円盤２１を取り除いた底付き容器形状にしておき、装填後に一方の円盤２１を取り付け、穴２２をメンディングテープ２３によって封鎖する。
【００１７】
発音薬２４としては、過塩素酸カリウムあるいは塩素酸カリウムと金属粉（例えば、チタン、アルミニウム、マグネシウム）との混合薬がある。本実施形態では、アルミニウムと、過塩素酸カリウムと、アジピン酸ジオクチル等との組成物の粉体を装薬している。発音薬２４としては、従来、発光発音組成物として上述の２成分に、硫化アンチモンを混合あるいは硫化アンチモンと硫黄とを混合したものが用いられているが、近年、上述２成分と、硫化アンチモンあるいは硫化アンチモンと硫黄との混合薬は危険性が高く使用が控えられている。
【００１８】
発音筒２５は、点火部１０の円柱状体１１のねじ部１３と螺合する第一のねじ部２６と栓部のねじ部と螺合する第二のねじ部２７とを設けると共に発音薬２４の燃焼時に発生する閃光および爆発音を外部に誘導する複数の穴２８を設けた金属製の筒体（例えば、圧力配管用炭素鋼鋼管）で構成されている。
栓部２９は、例えば、アルミニウム製の材料を加工して、発音筒２５の第二のねじ部２７に螺着されるねじ部を外周にねじ部３０と、ハンドル部３１とを形成することによって構成されている。
【００１９】
本実施形態に係る起動部４０を備えた閃光発音体２は、本実施形態に係る閃光発音体１の点火部１０に雷管１４を発火させる起動部４０を取り付けることによって構成されている。
起動部４０は、点火部１０の雷管１４側に螺着される円筒形状のキャップ部４１と、このキャップ部４１の中央部に立設した安全装置取付部４４とで構成されている。
【００２０】
キャップ部４１は、点火部１０の円柱状体１１のねじ部１３と螺合するねじ部４２と、雷管ホルダ１５とほぼ同一径の開口４３とを形成した金属製の底付き容器で構成されている。
安全装置取付部４４は、キャップ部４１の開口４３側に立設する壁面４５に、撃針４７を一端に設けたコイルばね４６と、コイルばね４６をキャップ部４１側に押し付けた状態で保持する安全ピン４８と、安全ピン４８に取り付けられる安全リング４９と、撃針４７に当接した状態で取り付けられる安全レバー５０とで構成されている。
【００２１】
コイルばね４６は、壁面４５に設けたピン５１に取り付けられている。コイルばね４６の一端４６ａはキャップ部４１側の壁面に当接し、他端４６ｂは安全ピン４８によってキャップ部４１側の壁面に押し付けられている。
安全レバー５０は、ほぼＬ字状に折り曲げられた金属製の板材から成り、円弧状に折り曲げられた二股形状の先端側５０ａを壁面４５に設けたピン５２に回動自在に組み付けられている。
【００２２】
次に、斯くして構成された本実施形態に係る閃光発音体１および閃光発音体２の作用を説明する。
（１）本実施形態に係る閃光発音体１の組立について説明する。
先ず、栓部２９のねじ部３０に発音筒２５の第二のねじ部２７をねじ込んで、栓部２９と発音筒２５とを一体にする。
【００２３】
次に、発音薬２４を装填した筒体１９を栓部２９上に置く。
次に、防湿テープ１８側から点火部１０のねじ部１３を発音筒２５の第一のねじ部２６にねじ込む。点火部１０のねじ込みに伴い通路１７がメンディングテープ２３を破り、通路１７が筒体１９内に嵌り込み、点火部１０の下端面が筒体１９の上側の円盤２１に当接したところでねじ込みを停止する。
【００２４】
以上によって、本実施形態に係る閃光発音体１を得ることができる。
（２）本実施形態に係る閃光発音体２の組立について説明する。
組み立てられた本実施形態に係る閃光発音体１の点火部１０の雷管１４側に、雷管１４を発火させる起動部４０のねじ部４２を点火部１０のねじ部１３にねじ込んで両者を一体にする。
【００２５】
（３）本実施形態に係る閃光発音体１および本実施形態に係る閃光発音体２の動作を説明する。
図３（Ａ）に示すように、安全レバー５０を握りながら安全リング４９を引っ張って安全ピン４８を取り除いた後、図３（Ｂ）に示すように、本実施形態に係る閃光発音体２を目標箇所に投げる。
【００２６】
図３（Ｃ）に示すように、安全レバー５０がコイルばね４６の戻り力で跳ね上がられ、ピン５２を中心にして回動すると共に、安全レバー５０に連動してピン５１を中心にコイルばね４６が回動して撃針４７が、点火部１０の雷管１４に激突すると、雷管１４が発火(作動)し、雷管１４と隣接する延期薬１６に着火し、この延期薬１６の一定延期秒時後に、発音薬２４に着火し発音薬２４が燃焼する。
【００２７】
そして、この発音薬２４の燃焼で急激に圧力が発生し、発音薬２４を収納する筒体１９を破断し、発音筒２５から強烈な音(爆発音)・光(閃光)が放出される。本実施形態では、発音筒２５は、音(爆発音)・光（閃光）を放出するΦ９ｍｍの穴２８を１２個、円周上に２段に形成しているので、発音薬２４の燃焼による光（閃光）が広範囲に広がる。そして、この場合の発音は、１８５ｄＢ、発光は、７６４万ｃｄであった。
【００２８】
以上のように、本実施形態に係る閃光発音体１は、点火部１０、発音筒２５および栓部２９をねじ結合によって組み立てることができるので、製作が容易である。また、筒体１９は、点火部１０の通路１７を嵌め込むことができるので、通路１７の長さだけ点火部１０の軸長方向の長さを短くできる。その結果、本実施形態に係る閃光発音体１の軸長方向の長さを短くできるので、小型化が可能となる。
【００２９】
また、撃針４７、安全ピン４８、安全リング４９、安全レバー５０などからなる起動部４０を分離した状態で製造することができるので、起動部４０と独立して製造することが可能となった。
一方、本実施形態に係る閃光発音体２は、起動部４０が撃針４７を回動する単純な構造のため、閃光発音体１の点火部１０からの突出量が小さくできる。また、組み立てられた本実施形態に係る閃光発音体１の点火部１０の雷管１４側にねじ込んで組み立てることができるので、製作が容易である。
【００３０】
なお、本実施形態では、点火部１０に通路１７を設けた場合について説明したが、通路１７を設けなくても、同様に機能することができる。つまり、延期薬１６からの火炎はメンディングテープ２３を破り、筒体１９内の発音薬２４を燃焼することは可能であり、発音薬２４による音(爆発音)・光（閃光）の放出を行うことができる。
（第二実施形態）
第一実施形態では、従来の閃光発音体と同様に、室内などに投げ込むことができる閃光発音体１および閃光発音体２について説明したが、乗り物、部屋などの天井、壁、床などの任意の箇所に設置して使用する場合にも適用できる。
【００３１】
この場合には、図４に示すように、起動部４０に代えて設置型の起動部５３とする。ただし、閃光発音体１および閃光発音体２は、同じものを使用するので、その説明は省略する。
起動部５３は、中央に雷管１４より大きな内径を有する段付き貫通孔５５を設けると共に一端部に点火部１０の雷管１４側に螺着されるねじ部５７を有する凹部５６を設けた円柱状体５４と、先端に撃針５９を取り付けて段付き貫通孔５５内にばね６０を介して装着される保持部材５８と、円柱状体５４の外部で保持部材５８に挿通されて保持部材５８の落下を防止する第二安全ピン６２と、第二安全ピン６２より外側で保持部材５８に挿通されて保持部材５８の落下を防止する第一安全ピン６１とで構成されている。
【００３２】
段付き貫通孔５５には、保持部材５８が上下できる孔５５ａと、ばね６０の一端を支持する段５５ｃを設けた孔５５ｂとが設けてある。
保持部材５８は、孔５５ｂより小径で撃針５９を先端に設ける取付部５８ａと、貫通孔５５より長く、第二安全ピン６２と第一安全ピン６１とを挿通する孔５８ｃ、５８ｄを設けた軸部５８ｂとで構成されている。
【００３３】
第一安全ピン６１と第二安全ピン６２とは、保持部材５８の孔５８ｃ、５８ｄを挿通して保持部材５８の落下を防止する軸部６１ａ、６２ａと、軸部６１ａ、６２ａに取り付ける安全リング６１ｂ、６２ｂとで構成されている。第一安全ピン６１は、安全機構を解除するための機能を有し、第二安全ピン６２は保持部材５８の拘束を解除する機能を有する。そして、両者は、例えば、安全リング６１ｂ、６２ｂにワイヤーなどを取り付け、遠隔操作で引き抜くことができる。
【００３４】
このように構成された起動部５３によれば、図４（Ｂ）に示すように、先ず、第一安全ピン６１の安全リング６１ｂをワイヤーなどで引き抜き、安全機構を解除する。
次に、第二安全ピン６２の安全リング６１ｂをワイヤーなどで引き抜き、保持部材５８の拘束を解除する。
次に、図４（Ｃ）に示すように、保持部材５８は、ばね６０の戻り力によって撃針５９を雷管１４に激突する方向に強制的に移動される。
【００３５】
次に、雷管１４が発火(作動)し、雷管１４と隣接する延期薬１６に着火し、この延期薬１６の一定延期秒時後に、発音薬２４に着火し発音薬２４が燃焼する。
そして、この発音薬２４の燃焼で急激に圧力が発生し、発音薬２４を収納する筒体１９を破断し、発音筒２５から強烈な音(爆発音)・光(閃光)が放出される。
以上のように、設置型の閃光発音体１および閃光発音体２においても同様の作用効果を得ることができる。
【００３６】
（第三実施形態）
図５は、本発明の第一実施形態に係る閃光発音体１Ａおよび閃光発音体２Ａを示す（請求項１に対応する）。
本実施形態に係る閃光発音体１Ａおよび閃光発音体２Ａは、第一実施形態に係る閃光発音体１を２つ連結した点で、第一実施形態に係る閃光発音体１および閃光発音体２とは相違する。
【００３７】
ただし、本実施形態に係る閃光発音体１Ａおよび閃光発音体２Ａを構成する要素は、第一実施形態に係る閃光発音体１および閃光発音体２と同じであるから、これらの説明は省略する。
第一実施形態に係る閃光発音体１および閃光発音体２は、雷管１４を点火部１０に設けたため、栓部２９を取り外し、別に製造した第一実施形態に係る閃光発音体１の点火部１０のねじ部１３に発音筒２５の第二のねじ部２７を螺着することによって、図５に示すように２つの第一実施形態に係る閃光発音体１を連結することができる。
【００３８】
このように構成された本実施形態に係る閃光発音体１Ａに起動部４０を螺着すると、本実施形態に係る閃光発音体２Ａを得ることができる。
次に、斯くして構成された本実施形態に係る閃光発音体２Ａの作用を説明する。
本実施形態に係る閃光発音体２Ａは、２つの閃光発音体１Ａがそれぞれ雷管１４を備えている。
【００３９】
図３（Ａ）に示すように、安全レバー５０を握りながら安全リング４９を引っ張って安全ピン４８を取り除いた後、図３（Ｂ）に示すように、本実施形態に係る閃光発音体２Ａを目標箇所に投げる。
図３（Ｃ）に示すように、安全レバー５０がコイルばね４６の戻り力で跳ね上がられ、ピン５２を中心にして回動すると共に、安全レバー５０に連動してピン５１を中心にコイルばね４６が回動して撃針４７が、点火部１０の雷管１４に激突すると、雷管１４が発火(作動)し、雷管１４と隣接する延期薬１６に着火し、この延期薬１６の一定延期秒時後に、発音薬２４に着火し発音薬２４が燃焼する。
【００４０】
そして、この発音薬２４の燃焼で急激に圧力が発生し、発音薬２４を収納する筒体１９を破断し、発音筒２５から強烈な音(爆発音)・光(閃光)が放出される。
同時に、２段目の閃光発音体１Ａが発音薬２４の燃焼による衝撃（または熱）で雷管１４が発火（作動）し、１段目の閃光発音体１Ａと同様に、延期薬１６、発音薬２４と燃焼し、１段目の閃光発音体１Ａの発音後、一定延期秒時後、２段目の閃光発音体１Ａの発音薬２４が燃焼して連続して発音筒２５から強烈な音(爆発音)・光(閃光)が放出される。そして、この場合の発音は、１段目の閃光発音体１Ａの穴で１８５ｄＢ、２段目の閃光発音体１Ａの穴で１８５ｄＢ、発光は、１段目の閃光発音体１Ａの穴で７６４万ｃｄ、２段目の閃光発音体１Ａの穴で８２７万ｃｄであった。
【００４１】
以上のように、本実施形態によれば、閃光発音体１Ａが栓部２９を取り外すだけで、別の閃光発音体１Ａとねじ結合により連結することができるので、製造が容易である。しかも、連結される閃光発音体１Ａがそれぞれ雷管１４を備えているので、前段の閃光発音体１Ａの燃焼による衝撃（または熱）で雷管１４が発火（作動）し、従来の連続発火方式の閃光発音体のように信管を別途に用意するという必要がない。
【００４２】
従って、閃光発音体１Ａの連結数は用途目的に応じて適宜選択することができる。
また、連結に当たって、延期秒時がそれぞれ異なる延期薬を装填した閃光発音体を用意しておきこともできる。これによって、音(爆発音)・光（閃光）を連発で発生させることが可能となり、暴徒の制圧に効果的である。
（第四実施形態）
第一実施形態ないし第三実施形態では、発音薬２４を用いて音(爆発音)・光（閃光）を発生させ、暴徒の感覚を一時的に麻痺させる用途に適用した場合について説明した。
【００４３】
本実施形態では、発音薬２４に代えて暴徒の視界を遮断する煙を発生する煙薬を用いた場合について説明する。
従って、第一実施形態ないし第三実施形態に係る閃光発音体１，１Ａおよび閃光発音体２，２Ａの構造と変わるところはない。そのため、詳細説明は省略する。ただし、発音体２５は、名称を筒状体と置き換える。
【００４４】
本実施形態において、筒体１９に装填される煙薬は、黄りん、または赤りんと、硝酸塩と、金属粉と、バインダー等との組成物である。
なお、発音薬、煙薬に代えて、臭いあるいは刺激物を散布し、暴徒の鎮圧を図ることも可能である。臭い（例えば、アンモニア臭）、コショウ等を筒体１９に装填する。
【図面の簡単な説明】
【００４５】
【図１】本発明の第一実施形態に係る閃光発音体を示す断面図である。
【図２】図１の分解断面図である。
【図３】図１の起動部の動作を示す説明図である。
【図４】本発明の第二実施形態に係る閃光発音体の動作を示す説明図である。
【図５】本発明の第三実施形態に係る閃光発音体を示す断面図である。
【符号の説明】
【００４６】
１，１Ａ，２，２Ａ  閃光発音体
１０  点火部
１１，５４  円柱状体
１２，５５  貫通孔
１２ａ  始点
１２ｂ  終点
１３，３０，４２，５７  ねじ部
１４  雷管
１５  雷管ホルダ
１６  延期薬
１７  通路
１８  防湿テープ
１９  筒体
２０  筒
２１  円盤
２２  穴
２３  メンディングテープ
２４  発音薬
２５  発音筒
２６  第一のねじ部
２７  第二のねじ部
２８  穴
２９  栓部
３１  ハンドル部
４０，５３  起動部
４１  キャップ部
４３  開口
４４  安全装置取付部
４５  壁面
４６  コイルばね
４７，５９  撃針
４８  安全ピン
４９  安全リング
５０  安全レバー
５１，５２  ピン
５６  凹部
５８  保持部材
６０  ばね
６１  第一安全ピン
６２  第二安全ピン
【図１】
2008051472.tif 000003
【図２】
2008051472.tif 000004
【図３】
2008051472.tif 000005
【図４】
2008051472.tif 000006
【図５】
2008051472.tif 000007